(57)【要約】【課題】リード線固定用のリードブッシュ部品なしでも、上カバーと下カバーのみでリード線を固定できる、上カバー、下カバーを提供する。【解決手段】上カバーと下カバーのリード線引き出し部に、リード線を配置するための溝を設けて、上カバーと下カバーを閉じた際にリード線を挟んで固定できるようにする。【選択図】図４
2012253985.tif 000002
【特許請求の範囲】
【請求項１】
略放射状に配置された複数のティースと、前記ティースを外周部で連結するヨークと、ティース先端に設けられたティース先端幅広部と、隣り合う前記ティース先端幅広部との間に設けられたスロットオープンとを有するステータコアと、前記ティースに絶縁物を介して施された巻線とからなるステータと、前記ステータの内周にわずかな空隙を介して対向して回転自在に保持されるとともに、複数極に着磁された永久磁石を少なくとも有するロータと、巻線へ電流供給する回路基板と、外部から電源供給する為に基板に取り付けられたリード線と、前記ステータとロータと回路基板を保持する上カバー及び下カバーで構成されるモータにおいて、前記カバーには前記リード線を引き出すための溝が設けられていることを特徴としたモータ。
【請求項２】
前記カバーに、それぞれリード線を引き出すための溝とは高さが異なる突起を一ヶ所以上設けて、カバーを閉じた際にリード線が屈曲され、リード線が固定されることを特徴とした請求項１に記載のモータ。
【請求項３】
前記巻線へ電流を供給する回路基板は、単相全波の電流を供給する構成の請求項１または２に記載のモータ。
【請求項４】
前記巻線へ電流を供給する回路基板は、二相半波の電流を供給する構成の請求項１または２に記載のモータ。
【請求項５】
前記巻線へ電流を供給する回路基板は、三相全波の電流を供給する構成の請求項１または２に記載のモータ。
【発明の詳細な説明】
【技術分野】
【０００１】
本発明は，信頼性の高いモータ，及びこれを搭載した信頼性の高い機器に関するものである。
【背景技術】
【０００２】
従来のモータは図９に示すように、ロータ１０１と、ステータコア１０２に絶縁物１０３を介して巻線１０４が施されており、導通ピン１０５を介して前記巻線とモータを駆動させるためのプリント基板１０６とを接続し、リード線１０７を介して外部電源と接続しており、これら部品は上カバー１０８と下カバー１０９にて保持される構成となっている。
その他の例としては、電源接続端子を用いるものがある（特許文献１参照）。
【先行技術文献】
【特許文献】
【０００３】
【特許文献１】特開２０００−４１３７０号公報
【発明の概要】
【発明が解決しようとする課題】
【０００４】
しかしながら、前記従来の構成である図１０に示すように、リード線を固定するために、前記リード線にリードブッシュ１１０を一体成型し、前記リードブッシュを前記上カバーと下カバーで挟む構造になっているため、リード線を固定するためのリードブッシュ部品が必要となっていた。
【０００５】
本発明は、前記従来の課題を解決するもので、リードブッシュ部品がなくともリード線が固定されるので、コストをかけずに信頼性の高いモータを提供するものである。
【課題を解決するための手段】
【０００６】
上記課題を解決するために、本発明のモータは、前記上カバーと下カバーのリード線引き出し部に、リード線を配置するための溝を設けて、上カバーと下カバーを閉じた際にリード線を挟んで固定できる構成にしたものである。
【０００７】
また本発明は、さらにリード線引き出し溝部に、前記溝とは高さの異なる突起を一箇所以上設けて、上カバーと下カバーを閉じた際にリード線が屈曲されて、リード線が固定される構成としたものである。
【発明の効果】
【０００８】
本発明のモータによれば、リード線を固定するためのリードブッシュがなくてもリード線が固定されるため、リードブッシュを廃止しても信頼性の高いモータを提供できる。
【図面の簡単な説明】
【０００９】
【図１】本発明の実施形態１におけるモータの断面図
【図２】同モータの上カバーの外観図
【図３】同モータの下カバーの外観図
【図４】同モータのリード線引き出し部断面図
【図５】本発明の実施形態２におけるモータの断面図
【図６】同モータの上カバーの外観図
【図７】同モータの下カバーの外観図
【図８】同モータのリード線引き出し部断面図
【図９】従来のモータの断面図
【図１０】同モータのリード線引き出し部断面図
【発明を実施するための形態】
【００１０】
（実施の形態１）
図１は、本発明の第１の実施形態を適応したモータの断面図を示している。本発明のモータは図１に示すように、ロータ１と、ステータコア２に絶縁物３を介して巻線４が施されており、導通ピン５を介して前記巻線とモータを駆動させるためのプリント基板６とを接続し、リード線７を介して外部電源と接続しており、これら部品は上カバー８、下カバー９にて保持される構成となっている。また、図２に上カバーを、図３に下カバーを、図４に本発明の第１の実施形態を適応したモータのリード線引き出し部断面図を示す。
【００１１】
図２、図３に示すように、前記上カバー８、下カバー９にはリード線を引き出すための溝１０、１１がそれぞれ設けられている。図４に示すように、カバーを閉じてモータを組み立てる際に、前記上カバー８、下カバー９に設けられた溝１０、１１にリード線７を入れて組み立てることで、リード線固定用のリードブッシュを使用せずに、上カバーと下カバーのみでリード線を固定することができる。
【００１２】
なお、回路基板へ供給する電源については、交流、直流のいずれでもよい。また、回路基板から巻線へ供給する電源は、単相全波、二相半波、もしくは三相全波のいずれでもよい。
【００１３】
（実施の形態２）
図５は、本発明の第２の実施形態を適応したモータの断面図を示している。本発明のモータは図５に示すように、ロータ２１と、ステータコア２２に絶縁物２３を介して巻線２４が施されており、導通ピン２５を介して前記巻線とモータを駆動させるためのプリント基板２６とを接続し、リード線２７を介して外部電源と接続しており、これら部品は上カバー２８、下カバー２９にて保持される構成となっている。また、図６に上カバーを、図７に下カバーを、図８に本発明の第２の実施形態を適応したモータのリード線引き出し部断面図を示す。
【００１４】
図６、図７に示すように、前記上カバー２８、下カバー２９にはリード線を引き出すための溝３０、３１がそれぞれ設けられており、前記溝３０、３１とは別に、上カバーと下カバーを組み合わせた際に、前記溝とは高さが異なる溝３２が上カバーに、突起３３が下カバーに設けられている。図８に示すように、カバーを閉じてモータを組み立てる際に、前記上カバー２８、下カバー２９に設けられた溝３０、３１にリード線２７を入れ、さらに前記溝３２、突起３３でリード線を押さえて組み立てることで、カバーを組み立てた際にリード線が屈曲され、リード線固定用のリードブッシュを使用せずに、上カバーと下カバーのみでリード線を固定することができる。
【００１５】
なお、上カバー、下カバーに設けるリード線屈曲用の溝、突起は、２ケ所以上設けられている構成でもよい。また、上カバーに突起、下カバーに溝が設けられている構成でもよい。なお、回路基板へ供給する電源については、交流、直流のいずれでもよい。また、回路基板から巻線へ供給する電源は、単相全波、二相半波、もしくは三相全波のいずれでもよい。
【産業上の利用可能性】
【００１６】
以上のように、本モータは、例えば冷蔵庫の冷気循環用、もしくは圧縮機の冷却用のファンモータなどモータ全般に適用可能である。
【符号の説明】
【００１７】
１  ロータ
２  ステータコア
６  プリント基板
７  リード線
８  上カバー
９  下カバー
１０  溝
１１  溝
２１  ロータ
２２  ステータコア
２６  プリント基板
２７  リード線
２８  上カバー
２９  下カバー
３０  溝
３１  溝
３２  溝
３３  突起
【図１】
2012253985.tif 000003
【図２】
2012253985.tif 000004
【図３】
2012253985.tif 000005
【図４】
2012253985.tif 000006
【図５】
2012253985.tif 000007
【図６】
2012253985.tif 000008
【図７】
2012253985.tif 000009
【図８】
2012253985.tif 000010
【図９】
2012253985.tif 000011
【図１０】
2012253985.tif 000012